(57)【要約】      （修正有）【課題】就寝時のマスク外れを防止するマスク及びマスク装着補助具を提供する。【解決手段】通気性を有する素材で形成され、装着者の口及び鼻を覆うマスク部２０と、装着者に装着される装着部３０とを備えるマスク１０であって、装着部３０は、マスク１０に取付けられ、耳に掛けられる左右一対の耳掛け部３１と、頭部に掛けられる頭掛け部３２とを有する。また、頭掛け部３２をマスクに着脱自在に取付ける取付部と、を有する。【選択図】図１
0003204650.tif 000002
【実用新案登録請求の範囲】
【請求項１】
通気性を有する素材で形成され、装着者の口及び鼻を覆うマスク部と、装着者に装着される装着部とを備えるマスクであって、
前記装着部は、前記マスクに取付けられ、耳に掛けられる左右一対の耳掛け部と、頭部に掛けられる頭掛け部とを有する
ことを特徴とするマスク。
【請求項２】
連結部を更に有し、
前記連結部は、前記耳掛け部と、頭掛け部とを連結する
ことを特徴とする請求項１に記載のマスク。
【請求項３】
前記マスク部は、上辺、下辺及び左右の側辺を有し、
前記頭掛け部は、前記マスク部の前記上辺又は前記側辺に取付けられる
ことを特徴とする請求項１又は２に記載のマスク。
【請求項４】
前記頭掛け部は、前記マスクに対して着脱自在である
ことを特徴とする請求項１から３までのいずれか１項に記載のマスク。
【請求項５】
前記頭掛け部は、一端と他端とを有するベルト又は紐状である
ことを特徴とする請求項１から４までのいずれか１項に記載のマスク。
【請求項６】
前記頭掛け部は、弾性変形により伸縮可能な素材で形成される
ことを特徴とする請求項１から５までのいずれか１項に記載のマスク。
【請求項７】
マスクを装着するためのマスク装着補助具であって、
頭部に掛けられる頭掛け部と、前記頭掛け部を前記マスクに着脱自在に取付ける取付部と、を有する
ことを特徴とするマスク装着補助具。
【請求項８】
前記頭掛け部は、一端と他端とを有するベルト又は紐状であって、
前記取付部は、前記頭掛け部の両端に設けられる
ことを特徴とする請求項７に記載のマスク装着補助具。
【請求項９】
前記頭掛け部は、弾性変形により伸縮可能な素材で形成される
ことを特徴とする請求項７又は８に記載のマスク装着補助具。
【考案の詳細な説明】
【技術分野】
【０００１】
本考案は、マスク及びマスク装着補助具に関する。
【背景技術】
【０００２】
従来、衛生マスク、いわゆるマスクは、空気を濾過して塵埃や花粉を除去するため、あるいは細菌・ウイルスの拡散を防止するために、装着者の鼻や口を覆うように装着される。
【０００３】
一般的に、マスクには、耳掛け式と頭掛け（オーバーヘッド）式の２種類があり、更に、マスクを装着する際に、マスクが顔にフィットするように、横方向にプリーツ加工を施すことで、表面が縦方向に拡幅できるように構成し、鼻から顎にかけての広い範囲を覆うようなものや、マスクが鼻筋にフィットするように、マスク上辺に帯状の芯材を設けることで、マスクの屈曲状態が維持できるように構成したものなどもある。
【０００４】
ところで、これらのマスクを装着したまま就寝すると、睡眠中に寝返りを打ったときに、マスクや耳が、枕や布団などに接触することで、マスクが口や鼻からズレたり、外れたりして、マスクの本来の目的が果たされないことがある。
【０００５】
このため、就寝時に限らず、マスク外れを防止したマスクやマスク装着補助具も知られている（特許文献１−３参照）。
【０００６】
特許文献１には、マスク装着補助器であって、輪状物（装着部）の上辺に凸部を設け、この凸部にマスクの耳掛け部が掛けられるように構成されたものが記載されている。この場合、マスクの耳掛け部が、耳にほとんど掛けられていない。
【０００７】
特許文献２には、就寝時用のマスクであって、マスク部と掛止帯（装着部）とが全体として輪状をなし、掛止帯が後頭部に回して掛止されるように構成されたものが記載されている。このマスクは、全体としてオーバーヘッド式に類似するものであり、一部耳に掛けられている。
【０００８】
特許文献３には、就寝時用のマスクであって、顔及び頭部の少なくとも一部を覆う筒状のマスク本体と、係止部材（装着部）とを備え、係止部材が顔から後頭部に係止されるように構成されたものが記載されている。
【０００９】
このように、特許文献１−３にみられる、従来のマスク及びマスク装着補助具は、装着部に相当するものが、実質的に後頭部のみに掛け回されることで、マスク外れを防止しているといえる。
【先行技術文献】
【特許文献】
【００１０】
【特許文献１】登録実用新案第３１９２６３５号公報
【特許文献２】特開２０１１−１１５４６３号公報
【特許文献３】特開２００４−３４４４９２号公報
【考案の概要】
【考案が解決しようとする課題】
【００１１】
しかしながら、就寝時は、仰向けで寝る人が多く、寝返りを打ったとしても、後頭部付近は、常時枕に接触し、沈み込んでいる。すると、マスクの装着部を後頭部のみに掛ける構造では、装着部は後頭部と枕との間に挟まれるため、頭が動くたびに、装着部が枕に擦られ、装着部の位置ズレが起こる。
【００１２】
このように、特許文献１−３にみられる、従来のマスク及びマスク装着補助具は、逆に、マスク外れの要因を引き起こすものとなり、マスク外れが防止できているとはいい難いものであった。
【００１３】
そこで、本考案は、上記問題点に鑑みなされたものであり、就寝時のマスク外れを防止するマスク及びマスク装着補助具を提供することを目的とする。
【課題を解決するための手段】
【００１４】
（１）本考案に係る一つの態様は、通気性を有する素材で形成され、装着者の口及び鼻を覆うマスク部と、装着者に装着される装着部とを備えるマスクであって、前記装着部は、前記マスクに取付けられ、耳に掛けられる左右一対の耳掛け部と、頭部に掛けられる頭掛け部とを有するものである。
【００１５】
（２）上記（１）の態様において、連結部を更に有し、前記連結部は、前記耳掛け部と、頭掛け部とを連結してもよい。
【００１６】
（３）上記（１）又は（２）の態様において、前記マスク部は、上辺、下辺及び左右の側辺を有し、前記頭掛け部は、前記マスク部の前記上辺又は前記側辺に取付けられてもよい。
【００１７】
（４）上記（１）から（３）までのいずれか一つの態様において、前記頭掛け部は、前記マスクに対して着脱自在であってもよい。
【００１８】
（５）上記（１）から（４）までのいずれか一つの態様において、前記頭掛け部は、一端と他端とを有するベルト又は紐状であってもよい。
【００１９】
（６）上記（１）から（５）までのいずれか一つの態様において、前記頭掛け部は、弾性変形により伸縮可能な素材で形成されてもよい。
【００２０】
（７）本考案に係る別の一つの態様は、マスクを装着するためのマスク装着補助具であって、頭部に掛けられる頭掛け部と、前記頭掛け部を前記マスクに着脱自在に取付ける取付部と、を有するものである。
【００２１】
（８）上記（７）の態様において、前記頭掛け部は、一端と他端とを有するベルト又は紐状であって、前記取付部は、前記頭掛け部の両端に設けられてもよい。
【００２２】
（９）上記（７）又は（８）の態様において、前記頭掛け部は、弾性変形により伸縮可能な素材で形成されてもよい。
【考案の効果】
【００２３】
本考案によれば、就寝時のマスク外れを防止するマスク及びマスク装着補助具を提供することができる。
【図面の簡単な説明】
【００２４】
【図１】本考案の実施形態１に係るマスクを示す平面図である。
【図２】本考案の実施形態２に係るマスク装着補助具を示す斜視図である。
【図３】実施形態２のマスク装着補助具が取付けられたマスクを示す平面図である。
【図４】（ａ）実施形態１のマスクの装着状態を示す側面図である。（ｂ）実施形態２のマスク装着補助具が取付けられたマスクの装着状態を示す斜視図である。
【考案を実施するための形態】
【００２５】
以下、本考案の一実施形態（実施形態１）について、図面を参照しながら詳細に説明する。なお、実施形態の説明の全体を通じて同じ要素には同じ符号を付して説明する。
【００２６】
図１は、本考案の実施形態１に係るマスクを示す平面図であり、図４（ａ）は、実施形態１のマスクの装着状態を示す側面図である。なお、図１は、装着者の顔に面する側から見た場合のものである。
【００２７】
図１に示されるように、マスク１０は、装着者の口及び鼻を覆うマスク部２０と、装着者に装着される装着部３０とを備える。このマスク１０は、主に就寝時に装着されるものであるが、車両シートやソファなどのヘッドレストに頭を寄り掛けて仮眠するときなどに装着されてもよい。
【００２８】
マスク部２０は、通気性を有する素材、例えば、熱可塑性合成繊維で形成された不織布などのシート材で形成される。このシート材は、１枚又は複数枚積層される場合もある。また、シート材は、ＰＭ２．５などの微粒子を除去できるようなフィルタシートを含んでもよい。
【００２９】
また、マスク部２０は、プリーツＰ加工が施された、いわゆるプリーツ型であって、上辺２１、下辺２２及び左右の側辺２３を有する略矩形形状である。このプリーツＰにより、マスク部２０は、上辺２１及び下辺２２の間隔が、上下方向に拡幅可能になっており、鼻から顎にかけての広い範囲を覆うことができる。なお、本実施形態では、プリーツ型とされるが、プリーツＰの無い、いわゆる平型でも、鼻や口元のカーブにフィットする立体型（特許文献２参照）でもよい。
【００３０】
装着部３０は、マスク部２０の左右の側辺２３に取付けられ、耳に掛けられる左右一対の耳掛け部３１と、頭部に掛けられる頭掛け部３２とを有する。
【００３１】
耳掛け部３１は、弾性変形により伸縮可能な素材で形成される。詳しくは、耳掛け部３１は、ゴムやポリウレタンなどの弾性を有する材料と、天然・合成繊維などとの複合材（ゴム紐）で、紐状に形成される。
【００３２】
そして、紐状の耳掛け部３１は、一方の側辺２３の上辺２１付近と下辺２２付近とを結ぶように、溶着、接着などにより取付けられる。なお、場合によっては、耳掛け部３１が紐状でなく、マスク部２０と耳掛け部３１が一体成形されたようなものであってもよい（特許文献２参照）。
【００３３】
次に、頭掛け部３２は、弾性変形により伸縮可能な素材で形成される。詳しくは、頭掛け部３２は、天然ゴムやシリコーンゴムなどのゴム単体で、一端と他端とを有するベルト又は紐状に形成される。あるいは、頭掛け部３２は、ゴムやポリウレタンなどの弾性を有する材料と、天然・合成繊維などとの複合材（ゴム紐）で形成されてもよい。頭掛け部３２は、伸展させた際に、後頭部又は前頭部から頭頂部までの範囲の頭部に掛けられる長さとされる（図４（ａ）参照）。
【００３４】
さらに、頭掛け部３２は、長さを調節可能な調節部（図示なし）、例えば、コードロック（コードストッパ）などを有してもよい。なお、頭掛け部３２は、弾性変形により伸縮可能な素材に換えて、全体の長さが調節可能な構造で形成されてよい。
【００３５】
そして、頭掛け部３２は、マスク部２０の上辺２１又は左右の側辺２３の上辺２１付近に、あるいは、耳掛け部３１に、溶着、接着などの固着方法により取付けられる。なお、本実施形態では、頭掛け部３２は、マスク１０に固着されるが、後述するマスク装着補助具４０のように、マスク１０に対して着脱自在であってもよい。
【００３６】
ここで、マスク１０の耳掛け部３１と頭掛け部３２とは、連結部７０で連結されてもよい（図４（ａ）参照）。この連結具７０は、全長が３ｃｍから４ｃｍ程度のもので、耳掛け部３１及び頭掛け部３２に、溶着、接着などの固着方法により取付けられてもよく、フックやクリップなどで着脱自在に取付けられてもよい。
【００３７】
以上のとおり、本考案の実施形態１に係るマスク１０は、通気性を有する素材で形成され、装着者の口及び鼻を覆うマスク部２０と、マスク部２０に取付けられた装着部３０とを備えるものであって、マスク部２０は、上辺２１、下辺２２及び左右の側辺２３を有し、装着部３０は、マスク部２０に取付けられ、耳に掛けられる左右一対の耳掛け部３１と、頭部に掛けられる頭掛け部３２とを有するものである。
【００３８】
これにより、マスク１０は、装着部３０が両耳及び頭部の３箇所で装着者に装着されるから、マスク外れを防止することができる。
【００３９】
本実施形態１では、頭掛け部３２は、前頭部から頭頂部までの範囲に掛けられる。これにより、頭掛け部３２が、装着者の後頭部に掛かっておらず、就寝時でも、装着部３０が枕と接触することがないから、マスク外れを防止することができる。
【００４０】
本実施形態１では、マスク１０の耳掛け部３１と頭掛け部３２とは、連結部７０で連結される。これにより、頭掛け部３２が、耳掛け部３１から離れることがないから、マスク外れを防止することができる。
【００４１】
本実施形態１では、頭掛け部３２は、マスク１０に対して着脱自在である。これにより、外出する場合など、簡単に頭掛け部３２を取外すことができるから、見栄えをよくすることができる。
【００４２】
本実施形態１では、頭掛け部３２は、弾性変形により伸縮可能な素材で形成される。また、頭掛け部３２は、長さを調節する調節部を有する。これにより、頭掛け部３２は、大人や子供、男女を問わず装着者の頭部の大きさに応じて伸縮し、フィットするから、マスク外れを防止することができる。更に、頭掛け部３２が枕に擦られたとしても、伸縮することで、位置ズレを吸収することができ、マスク外れを防止することができる。
【００４３】
次に、本考案の他の実施形態（実施形態２）について、図面を参照しながら詳細に説明する。図２は、本考案の実施形態２に係るマスク装着補助具を示す斜視図であり、図３は、実施形態２のマスク装着補助具が取付けられたマスクを示す平面図であり、図４（ｂ）は、実施形態２のマスク装着補助具が取付けられたマスクの装着状態を示す斜視図である。
【００４４】
本実施形態２では、マスク装着補助具４０が、市販のマスクＭに着脱自在に取付けられることにより、マスク外れを防止するものである。市販のマスクＭは、プリーツ型、立体型、平型などいずれでもよい。
【００４５】
マスク装着補助具４０は、頭掛け部５０と、頭掛け部５０をマスクＭに着脱自在に取付ける取付部６０と、を有する。
【００４６】
頭掛け部５０は、弾性変形により伸縮可能な素材で形成される。詳しくは、頭掛け部５０は、天然ゴムやシリコーンゴムなどのゴム単体で、一端と他端とを有するベルト又は紐状に形成される。あるいは、頭掛け部５０は、ゴムやポリウレタンなどの弾性を有する材料と、天然・合成繊維などとの複合材（ゴム紐）で形成されてもよい。頭掛け部５０は、伸展させた際に、後頭部又は前頭部から頭頂部までの範囲の頭部に掛けられる長さとされる（図４（ｂ）参照）。
【００４７】
さらに、頭掛け部５０は、長さを調節可能な調節部５１を有する。調節部５１は、２本のベルト又は紐を、スライド可能に連結して１本のベルト又は紐状とし、長さを調節可能する（図２及び３参照）。なお、調節部５１は、これに限らず、コードロック（コードストッパ）などであってもよい。
【００４８】
次に、取付部６０は、一端と他端とを有するベルト又は紐状の頭掛け部５０の両端に設けられる。取付部６０は、マスクＭに刺したり、引っ掛けたりするフック状に形成される。
【００４９】
だだし、本実施形態２では、取付部６０は、フックとされるが、マスクＭを挟んで取付けるダブルクリップや目玉クリップのようなものでもよく、またマスクＭの表面を絡ませて取付けることができる、フック側の面ファスナのようなものであってもよい。
【００５０】
そして、マスク装着補助具４０は、上記実施形態１の頭掛け部３２が取付けられる位置と同様の箇所に取付けられる。このとき、取付部６０がフックであれば、その先端が、顔に面しないように取付けられるとよい。
【００５１】
ここで、マスク装着補助具４０の頭掛け部５０とマスクＭの耳掛け部とは、連結部７０で連結されてもよい（図４（ｂ）参照）。この連結部７０は、全長が３ｃｍから４ｃｍ程度で、マスクＭと及び頭掛け部５０に、フックなどで着脱自在に取付けられる。
【００５２】
上記のとおり、本考案の実施形態２に係るマスク装着補助具４０は、マスクＭを装着するためのものであって、頭部に掛けられる頭掛け部５０と、頭掛け部５０をマスクＭに着脱自在に取付ける取付部６０と、を有する。
【００５３】
これにより、マスク装着補助具４０を、市販のマスクＭに取付けるだけで、頭掛け部５０を設けたものに簡単に改造することができる。そして、実施形態１と同様に、装着者の両耳及び頭部の３箇所で装着されるから、マクス外れを防止することができる。
【００５４】
また、市販のマスクＭを有効に活用することができるから、頭掛け部３２が一体化された専用のマスク１０を製造する必要がなく、コストを削減することができる。
【００５５】
本実施形態２では、頭掛け部５０は、弾性変形により伸縮可能な素材で形成される。また、頭掛け部５０は、長さを調節可能な調節部５１を有する。これにより、頭掛け部５０は、大人や子供、男女を問わず装着者の頭部の大きさに応じて伸縮し、フィットするから、マスク外れを防止することができる。更に、頭掛け部５０が枕に擦られたとしても、伸縮することで、位置ズレを吸収することができ、マスク外れを防止することができる。
【００５６】
本実施形態２では、マスクＭと頭掛け部５０とは、連結部７０で更に連結される。これにより、頭掛け部５０が、マスクＭの耳掛け部から離れることがないから、マスク外れを防止することができる。
【００５７】
以上、本考案の好ましい実施形態について詳述したが、本考案は上述した実施形態に限定されるものではなく、実用新案登録請求の範囲に記載された本考案の要旨の範囲内において、種々の変形、変更が可能である。
【符号の説明】
【００５８】
１０    マスク
２０    マスク部、  ２１  上辺、  ２２  下辺、  ２３  側辺
３０    装着部、  ３１  耳掛け部、  ３２  頭掛け部
４０    マスク装着補助具
５０    頭掛け部、  ５１  調節部
６０    取付部
７０    連結部
Ｍ      マスク
Ｐ      プリーツ
【図１】
0003204650.tif 000003
【図２】
0003204650.tif 000004
【図３】
0003204650.tif 000005
【図４】
0003204650.tif 000006